(57)【要約】【課題】  ユーザが用紙収納トレイの開閉を行う前に用紙情報の設定指示を行った場合には、対象の用紙収納トレイが使用不可状態とならないため、用紙情報の設定指示との整合性が取れた用紙を用紙収納トレイに収納する前にユーザが印刷を開始してしまうおそれがある。【解決手段】  複数の用紙収納部に収納された用紙の用紙情報を記憶する記憶手段と、複数の用紙収納部から選択された用紙収納部に収納された用紙の用紙情報を受け付ける受け付け手段と、選択された用紙収納部に収納された用紙の用紙情報を受け付け手段によって受け付けた用紙情報に変更する変更手段と、記憶手段に記憶された選択された用紙収納部に収納された用紙の用紙情報が、受け付けた用紙情報に変更されたことに従って、選択された用紙収納部に収納された用紙を印刷に使用しないように印刷装置に指示する指示手段と、を有することを特徴とする。【選択図】  図１１
2018187796.tif 000002
【特許請求の範囲】
【請求項１】
印刷に用いられる用紙を収納する用紙収納部を複数備え、
用紙収納部に収納された用紙を搬送し、用紙に画像を印刷する印刷装置と通信可能な印刷制御装置であって、
前記複数の用紙収納部に収納された用紙の用紙情報を記憶する記憶手段と、
前記複数の用紙収納部から選択された用紙収納部に収納された用紙の用紙情報を受け付ける受け付け手段と、
前記選択された用紙収納部に収納された用紙の用紙情報を前記受け付け手段によって受け付けた用紙情報に変更する変更手段と、
前記記憶手段に記憶された前記選択された用紙収納部に収納された用紙の用紙情報が、前記受け付けた用紙情報に変更されたことに従って、前記選択された用紙収納部に収納された用紙を印刷に使用しないように前記印刷装置に指示する指示手段と、を有することを特徴とする印刷制御装置。
【請求項２】
前記複数の用紙収納部を選択可能に表示する表示手段をさらに有し、
前記表示手段によって選択可能に表示された前記複数の用紙収納部は、前記複数の用紙収納部に収納された用紙の用紙情報を含んで表示され、
前記記憶手段に記憶された前記選択された用紙収納部に収納された用紙の用紙情報が前記受け付けた用紙情報に変更されたことに従って、前記表示手段は前記選択された用紙収納部に収納された用紙の用紙情報の表示を変更することを特徴とする請求項１に記載の印刷制御装置。
【請求項３】
前記表示手段は、前記選択された用紙収納部に収納された用紙を印刷に使用できる状態と、前記選択された用紙収納部に収納された用紙を印刷に使用できない状態によって、前記選択された用紙収納部の表示を異ならせることを特徴とする請求項２に記載の印刷制御装置。
【請求項４】
前記用紙収納部に用紙が収納されているか否かの検知結果を受信する検知受信手段と、
前記選択された用紙収納部が開閉可能な内部用紙収納デッキである場合に、前記内部用紙収納デッキの開閉が行われた後、前記検知受信手段が前記内部用紙収納デッキに用紙が収納されているという検知結果を受信したことに従って、前記表示手段は前記内部用紙収納デッキに収納された用紙を印刷に使用してもよいことを表示することを特徴とする請求項２または３に記載の印刷制御装置。
【請求項５】
前記印刷装置は、前記印刷装置に前記内部用紙収納デッキを開く制御手段をさらに有し、
前記指示手段が前記内部用紙収納デッキに収納された用紙を印刷に使用しないように前記印刷装置に指示したことに従って、前記制御手段が前記内部用紙収納デッキを開くことを特徴とする請求項４に記載の印刷制御装置。
【請求項６】
前記用紙収納部に用紙が収納されているか否かの検知結果を受信する検知受信手段と、
前記選択された用紙収納部がインサータまたは手差しである場合に、前記検知受信手段が前記インサータまたは手差しに用紙が収納されているという検知結果を受信したことに従って、前記表示手段が前記インサータまたは手差しに収納された用紙を印刷に使用してもよいことを表示することを特徴とする請求項２または３に記載の印刷制御装置。
【請求項７】
前記表示手段における前記複数の用紙収納部の表示は、前記複数の用紙収納部に収納された用紙を印刷に使用できるか否かを示す使用割当ボタンを含み、
前記選択された用紙収納部の表示に含まれる前記使用割当ボタンが押下されたことに従って、前記指示手段は、前記選択された用紙収納部に収納された用紙を印刷に使用できないように前記印刷装置に指示することを特徴とする請求項２乃至６のいずれか１項に記載の印刷制御装置。
【請求項８】
前記選択された用紙収納部が外部から接続された外部用紙収納デッキである場合に、前記表示手段において前記外部用紙収納デッキの表示に含まれる前記使用割当ボタンが押下されることで、前記指示手段は、前記外部用紙収納デッキに収納された用紙を印刷に使用しないように前記印刷装置に指示することを特徴とする請求項７に記載の印刷制御装置。
【請求項９】
前記表示手段は、前記選択された用紙収納部に収納された用紙を印刷に使用できることを示す表示と、前記選択された用紙収納部に収納された用紙を印刷に使用できないことを示す表示とで、前記使用割当ボタンの表示を変更することを特徴とする請求項７または８に記載の印刷制御装置。
【請求項１０】
前記表示手段において、前記選択された用紙収納部に収納された用紙の用紙情報の詳細を表示させる指示手段を有することを特徴とする請求項２乃至９のいずれか１項に記載の印刷制御装置。
【請求項１１】
前記選択された用紙収納部に収納された用紙を印刷に使用できない旨を表示するメッセージ表示手段を有し、
前記指示手段によって、前記選択された用紙収納部に収納された用紙を印刷に使用しないように前記印刷装置に指示されたことに従って、前記メッセージ表示手段が、前記選択された用紙収納部に収納された用紙を印刷に使用できない旨を表示することを特徴とする請求項１乃至１０のいずれか１項に記載の印刷制御装置。
【請求項１２】
印刷に用いられる用紙を収納する用紙収納部を複数備え、
用紙収納部に収納された用紙を搬送し、用紙に画像を印刷する印刷装置と通信可能な印刷制御装置の制御方法であって、
前記複数の用紙収納部に収納された用紙の用紙情報を記憶する記憶工程と、
前記複数の用紙収納部から選択された用紙収納部に収納された用紙の用紙情報を受け付ける受け付け工程と、
前記選択された用紙収納部に収納された用紙の用紙情報を前記受け付け工程によって受け付けた用紙情報に変更する変更工程と、
前記記憶工程に記憶された前記選択された用紙収納部に収納された用紙の用紙情報が、前記受け付けた用紙情報に変更されたことに従って、前記選択された用紙収納部に収納された用紙を印刷に使用しないように前記印刷装置に指示する指示工程と、を有することを特徴とする印刷制御装置の制御方法。
【請求項１３】
請求項１２に記載の印刷制御装置の制御方法を、コンピュータに実行させるためのプログラム。
【請求項１４】
請求項１３に記載のプログラムを保存したコンピュータで読み取り可能な記憶媒体。
【請求項１５】
印刷に用いられる用紙を収納する用紙収納部を複数備え、用紙収納部に収納された用紙を搬送し、用紙に画像を印刷する印刷装置と、前記印刷装置と通信可能な印刷制御装置から構成される画像形成システムであって、
前記複数の用紙収納部に収納された用紙の用紙情報を記憶する記憶手段と、
前記複数の用紙収納部から選択された用紙収納部に収納された用紙の用紙情報を受け付ける受け付け手段と、
前記選択された用紙収納部に収納された用紙の用紙情報を前記受け付け手段によって受け付けた用紙情報に変更する変更手段と、
前記記憶手段に記憶された前記選択された用紙収納部に収納された用紙の用紙情報が前記受け付けた用紙情報に変更されたことに従って、前記選択された用紙収納部に収納された用紙を印刷に使用できないように制御する制御手段と、を有することを特徴とする画像形成システム。
【請求項１６】
印刷に用いられる用紙を収納する用紙収納部を複数備え、用紙収納部に収納された用紙を搬送し、用紙に画像を印刷する印刷装置であって、
前記複数の用紙収納部に収納された用紙の用紙情報を記憶する記憶手段と、
前記複数の用紙収納部から選択された用紙収納部に収納された用紙の用紙情報を受け付ける受け付け手段と、
前記選択された用紙収納部に収納された用紙の用紙情報を前記受け付け手段によって受け付けた用紙情報に変更する変更手段と、
前記記憶手段に記憶された前記選択された用紙収納部に収納された用紙の用紙情報が前記受け付けた用紙情報に変更されたことに従って、前記選択された用紙収納部に収納された用紙を印刷に使用できないように制御する制御手段と、を有することを特徴とする印刷装置。
【発明の詳細な説明】
【技術分野】
【０００１】
本発明は、印刷制御装置、印刷装置、画像形成装置、印刷制御方法、プログラムおよび記録媒体に関する。
【背景技術】
【０００２】
従来、印刷装置では、用紙のサイズ、坪量、コート紙や上質紙などの紙種などの異なる様々な用紙を使用して印刷処理を行うことが可能である。
【０００３】
印刷処理を行う際の用紙の設定として、印刷装置の操作部から設定する方法が知られている。
【０００４】
特許文献１は、画像形成部の給紙トレイのいずれかで開閉があった場合に、用紙属性の設定をユーザに対して要求するか否かを予め設定できるようにしている。そして、用紙属性の設定を要求する場合は、ユーザが指示した用紙属性と給紙トレイに収納された用紙の用紙属性との整合性を取るために、ユーザが用紙属性の設定を行うまで対象の給紙トレイを使用不可に設定する。
【先行技術文献】
【特許文献】
【０００５】
【特許文献１】特開２００６−８８５１３号公報
【発明の概要】
【発明が解決しようとする課題】
【０００６】
用紙収納部の用紙を入れ替えるときに、先に、用紙収納部に収納された用紙の用紙情報の設定変更を行ってから、設定変更された用紙情報に対応する用紙を用紙収納部に収納する方法がある。
【０００７】
特許文献１の構成においては、先に、用紙収納部に収納された用紙の用紙情報の設定変更が行われると、設定変更が行われてから、設定変更された用紙情報に対応する用紙が用紙収納部に収納されるまで、用紙収納部は使用不可に設定されない。
【０００８】
そのため、用紙情報の設定変更を行ってから、設定変更された用紙情報に対応する用紙が収納されるまでの間に、ユーザが印刷を開始した際には、用紙情報が用紙に合っていないため、紙詰まりや画質不良を引き起こすおそれがある。
【０００９】
本発明の印刷制御装置はこのような課題に鑑み、用紙収納部に収納された用紙の用紙情報の設定変更を行ってから、設定変更された用紙情報に対応した用紙を用紙収納部に収納する場合に、紙詰まりや画質不良が生じることを抑制することを目的とする。
【課題を解決するための手段】
【００１０】
本発明は、印刷に用いられる用紙を収納する用紙収納部を複数備え、用紙収納部に収納された用紙を搬送し、用紙に画像を印刷する印刷装置と通信可能な印刷制御装置であって、複数の用紙収納部に収納された用紙の用紙情報を記憶する記憶手段と、複数の用紙収納部から選択された用紙収納部に収納された用紙の用紙情報を受け付ける受け付け手段と、選択された用紙収納部に収納された用紙の用紙情報を受け付け手段によって受け付けた用紙情報に変更する変更手段と、記憶手段に記憶された選択された用紙収納部に収納された用紙の用紙情報が受け付けた用紙情報に変更されたことに従って、選択された用紙収納部に収納された用紙を印刷に使用できないように制御する制御手段と、を有することを特徴とする。
【発明の効果】
【００１１】
用紙収納部に収納された用紙の用紙情報の設定変更を行ってから、設定変更された用紙情報に対応した用紙を用紙収納部に収納する場合に、紙詰まりや画質不良が生じることを抑制することが可能となる。
【図面の簡単な説明】
【００１２】
【図１】画像形成システムの構成を示すブロック図
【図２】印刷装置のハードウェア構成を示すブロック図
【図３】印刷制御装置のハードウェア構成を示すブロック図
【図４】印刷制御装置のソフトウェア構成を示すブロック図
【図５】印刷装置のソフトウェア構成を示すブロック図
【図６】用紙管理アプリケーションの画面を示す図
【図７】用紙管理アプリケーションの起動時のフローチャート
【図８】印刷装置の起動時のフローチャート
【図９】用紙管理アプリケーションの画面を示す図
【図１０】用紙収納部の使用可否制御の処理フローチャート
【図１１】用紙管理アプリケーションの用紙収納部への用紙設定のフローチャート
【図１２】印刷装置の用紙収納部への用紙設定のフローチャート
【図１３】用紙収納部ボタンのコンテキストメニューを示す図
【図１４】用紙管理アプリケーションの画面を示す図
【発明を実施するための形態】
【００１３】
（実施例１）
図１は、画像形成システム１００の構成を示すブロック図である。図１の画像形成システム１００は、印刷装置１０３と、印刷制御装置１０２を備えている。
【００１４】
そして、この画像形成システム１００は、クライアントコンピュータ１０１と通信可能に接続されている。クライアントコンピュータ１０１と印刷制御装置１０２とは、イーサネット（登録商標）ケーブル１０９を使用してＬｏｃａｌ  Ａｒｅａ  Ｎｅｔｗｏｒｋ（ＬＡＮ）１１０を介して通信可能に接続されている。また、印刷制御装置１０２と印刷装置１０３とは、画像ビデオケーブル１０７及び制御ケーブル１０８を介して接続されている。
【００１５】
本実施例では、印刷装置１０３は、ＬＡＮ１１０に直接接続されていない。印刷装置１０３とクライアントコンピュータ１０１とは、印刷制御装置１０２を介して通信する。なお、印刷装置１０３は、ＬＡＮ１１０に直接接続されてもよい。
【００１６】
クライアントコンピュータ１０１は、アプリケーションを起動させて画像形成システム１００に印刷指示などを行う。
【００１７】
印刷制御装置１０２は、印刷装置１０３とともに画像処理を行う。印刷装置１０３は色々な機能を有する複合機である。印刷装置１０３は、クライアントコンピュータ１０１や印刷制御装置１０２からの画像処理を行うだけでなく、スキャナ１０４より読み込んだデータをコピーしたり、共有フォルダに送信したりすることが可能である。
【００１８】
スキャナ１０４で画像を走査する際は、操作部１０５にて各種キーを介して、ユーザから各種指示を受け付ける。また、操作部１０５はパネルを介して、スキャン状態などの各種情報を表示する。後処理装置１０６は画像が形成された用紙を受け取り用紙に対して後処理を行い排紙する。
【００１９】
長尺デッキ１１６は長尺用紙を収納可能なペーパーデッキを示し、１１７は手差しトレイ、１１８はインサータを示す。表示部１１１は、印刷制御装置１０２における情報を表示する。操作ボタン部１１２は印刷制御装置１０２のハードウェアの操作ボタンである。操作ボタン部１１２が操作されることで表示部１１１に表示されている情報の操作が行われる。表示部１１１に表示される情報は印刷制御装置１０２を操作する上で、最低限必要となる情報（電源操作やＩＰアドレスの確認）を表示する目的で使用される。
【００２０】
表示装置１１３は印刷装置１０３に含まれ、液晶モニタ等の装置である。キーボード１１４およびポインタデバイス１１５は、印刷制御装置１０２の操作に用いる。本実施例では、印刷制御装置１０２と印刷装置１０３とを別の装置とするが、印刷制御装置１０２の処理を印刷装置１０３の内部に包含し、印刷制御装置１０２を物理的に配置しなくてもよい。また、表示装置１１３がタッチパッドのような位置入力機能を含む構成であり、ポインタデバイス１１５の機能を備えている構成でもよい。
【００２１】
図２は印刷装置１０３のハードウェア構成を示すブロック図である。
【００２２】
ＣＰＵ（Ｃｅｎｔｒａｌ  Ｐｒｏｃｅｓｓｉｎｇ  Ｕｎｉｔ）２０１は、印刷装置１０３全体の動作を制御する。
【００２３】
ＬＡＮコントローラ２０６は、ＬＡＮに接続される。ＣＰＵ２０１はＬＡＮコントローラ２０６を介して印刷制御装置１０２との通信処理が可能となっている。
【００２４】
ＲＡＭ（Ｒａｎｄｏｍ  Ａｃｃｅｓｓ  Ｍｅｍｏｒｙ）２０２は、ＣＰＵ２０１の主メモリ、ワークエリア等として機能する。
【００２５】
記憶装置２１１は、ハードディスク（ＨＤＤ）、ソリッドステートドライブ（ＳＳＤ）、ＩＣカード等によって構成される。記憶装置２１１は、アプリケーションプログラム、フォントデータ、フォームデータ等を記憶したり、プリントジョブを一時的にスプールしたり、スプールされたジョブを外部から制御するためのジョブ格納領域として使用される。記憶装置２１１に記憶されたプログラムは、ＲＡＭ２０２にロードされＣＰＵ２０１により実行される。
【００２６】
また、記憶装置２１１は、ＢＯＸデータ格納領域としても使用され、スキャナ２１３から読み取った画像データやプリントジョブの画像データをＢＯＸデータとして保持したり、ネットワークから参照したり、印刷を行う。本実施例においては、記憶装置としてはＨＤＤを使用するものとし、ジョブログ、画像ログ等各種ログを保持する。
【００２７】
ディスクコントローラ（ＤＫＣ）２０８は、記憶装置２１１へのアクセスを制御する。ＲＯＭ（Ｒｅａｄ  Ｏｎｌｙ  Ｍｅｍｏｒｙ）２０３は、ブートＲＯＭとして機能し、印刷装置１０３のブートプログラムが格納される。
【００２８】
操作部２０５は、ソフトウェアキーまたはハードウェアキーを含んで構成され、ソフトウェアキーまたはハードキーをユーザが操作することで各種情報が入力される。
【００２９】
不揮発性メモリ２０９は、操作部２０５やネットワークを介して端末から設定される各種設定情報を記憶する。
【００３０】
ビデオＩ／Ｆ２１４は印刷制御装置１０２から画像データを受信する。
【００３１】
ＬＡＮコントローラ２０６は、ＬＡＮに接続され、ＬＡＮを介して画像データ、および、その他の上方の入出力を行う。
【００３２】
印刷Ｉ／Ｆ２０７は、印刷部（以下、プリンタエンジン）２１０とＣＰＵ２０１に接続される。ＣＰＵ２０１は、印刷Ｉ／Ｆ２０７を介してプリンタエンジン２１０に出力情報としての画像信号を出力する。
【００３３】
読取Ｉ／Ｆ２１２は、スキャナ２１３とＣＰＵ２０１に接続される。ＣＰＵ２０１は、読取Ｉ／Ｆ２１２を介してスキャナ２１３から入力される画像信号を制御する。
【００３４】
ＣＰＵ２０１、ＲＡＭ２０２、ＲＯＭ２０３、ビデオＩ／Ｆ２１４、操作部２０５、ＬＡＮコントローラ２０６、印刷Ｉ／Ｆ２０７、ＤＫＣ２０８、不揮発性メモリ２０９、読取Ｉ／Ｆ２１２は、システムバス２０４に接続される。ＣＰＵ２０１は、システムバス２０４を介して各種のデバイスとのアクセスを制御する。
【００３５】
図３は印刷制御装置１０２のハードウェア構成を示すブロック図である。
【００３６】
ＣＰＵ３０１は、印刷制御装置１０２全体の動作を制御する。例えば、ＣＰＵ３０１は、用紙収納部を使用可とするか、または、使用不可とするかを制御する使用制御を行う。
【００３７】
ＬＡＮコントローラ３０６は、ＬＡＮに接続され、ＣＰＵ２０１はＬＡＮコントローラ３０６を介して印刷装置１０３との通信処理が可能となっている。
【００３８】
ＬＡＮコントローラ３０７は、ＬＡＮに接続され、ＣＰＵ２０１はＬＡＮコントローラ３０７を介してネットワーク上のクライアントコンピュータ１０１や印刷装置１０３との通信処理を可能としている。
【００３９】
ＲＡＭ（Ｒａｎｄｏｍ  Ａｃｃｅｓｓ  Ｍｅｍｏｒｙ）３０２は、ＣＰＵ３０１の主メモリ、ワークエリア等として機能する。
【００４０】
記憶装置３０９は、ハードディスク（ＨＤＤ）、ソリッドステートドライブ（ＳＳＤ）、ＩＣカード等によって構成される。記憶装置３０９は、アプリケーションプログラム、フォントデータ、フォームデータ等を記憶したり、プリントジョブを一時的にスプールしたり、スプールされたジョブを外部から制御するためのジョブ格納領域として使用される。記憶装置３０９に記憶されたプログラムは、ＲＡＭ３０２にロードされＣＰＵ３０１により実行される。
【００４１】
なお、スプールされたジョブはＲＩＰ（Ｒａｓｔｅｒ  Ｉｍａｇｅ  Ｐｒｏｃｅｓｓｏｒ）処理される。そして、記憶装置３０９は、ＲＩＰ処理された画像データを再度保存するためのジョブ格納領域として使用される。
【００４２】
ディスクコントローラ（ＤＫＣ）３０８は、記憶装置３０９へのアクセスを制御する。ＲＯＭ３０３は、ブートＲＯＭとして機能し、印刷装置１０３のブートプログラムが格納される。
【００４３】
操作部３０５は、操作ボタン部１１２および表示部１１１を含んで構成され、操作ボタン部１１２をユーザが操作することで各種情報が入力される。入力された情報は、表示部１１１に表示される。
【００４４】
ビデオＩ／Ｆ３１０は、印刷装置１０３へＲＩＰ処理された画像データを出力する。キーボードコントローラ（以下、ＫＢＣ）３１１は、キーボード１１４、マウス（登録商標）等のポインタデバイス１１５からの情報などの入力に係る処理を行う。
【００４５】
表示制御部３１２は、内部にメモリ（以下、ビデオメモリ）を有する。表示制御部３１２は、ＣＰＵ３０１から受けた指示に従いビデオメモリに画像データを保持し、保持された画像データをビデオ信号として表示装置１１３に出力する。
【００４６】
ＣＰＵ３０１、ＲＡＭ３０２、ＲＯＭ３０３、ビデオＩ／Ｆ３１０、操作部３０５、ＬＡＮコントローラ３０６、ＬＡＮコントローラ３０７、ＤＫＣ３０８、記憶装置３０９、ＫＢＣ３１１、表示制御部３１２は、システムバス３０４に接続される。ＣＰＵ３０１は、システムバス３０４を介して各種のデバイスとのアクセスを制御する。
【００４７】
図４は、印刷制御装置１０２のソフトウェア構成を示すブロック図である。これらのソフトウェアモジュールは、記憶装置３０９にプログラムとして格納されＣＰＵ３０１によってＲＡＭ３０２に読み出され実行される。
【００４８】
ＵＩ制御部１２０１は、操作部３０５および表示制御部３１２を介して、表示部１１１および表示装置１１３の表示制御を行う。また、操作ボタン部１１２、キーボード１１４、ポインタデバイス１１５で設定される各種設定情報の入力を制御する。
【００４９】
印刷ジョブ管理部１２０２は、ユーザから受け付けた印刷ジョブデータを管理する。具体的には、記憶装置３０９に保存された印刷ジョブデータの呼び出しや、ユーザによる印刷ジョブの設定変更の反映、印刷済みのジョブの履歴管理などの処理を行う。印刷ジョブ処理部１２０３は、ユーザから受け付けた印刷ジョブの解析、画像データの生成、画像圧縮伸長など印刷処理実行に必要な処理を行う。
【００５０】
データ送受信部１２０４は、印刷装置１０３との間の各種データの送受信を管理する。印刷ジョブ処理部１２０３によって生成された印刷ジョブデータはデータ送受信部１２０４により印刷装置１０３へと送信される。また、データ送受信部１２０４は、外部ネットワークを介して接続されるクライアントコンピュータ１０１とのデータ送受信も管理する。
【００５１】
用紙リスト表示部１２０５は、表示装置１１３に表示される用紙管理アプリケーションのトップ画面に用紙情報を用紙リストとして表示する。用紙管理アプリケーションとは印刷装置１０３で使うことのできる用紙の種類や大きさ、坪量等の特徴を管理し、それぞれの用紙について各調整項目を設定することが可能なアプリケーションである。ここで設定された各調整項目の値が用紙情報として記録される。
【００５２】
用紙リスト表示部１２０５は、表示対象となる用紙リストが更新される度に表示装置１１３の表示を切り替える。本実施例において、ユーザは用紙管理アプリケーションを用いて、どの用紙収納部にどの用紙情報の用紙を収納するかを設定することが可能である。
【００５３】
用紙リスト作成部１２１１は、用紙リスト表示部１２０５が表示する用紙リストを作成する。用紙リスト作成部１２１１はユーザが用紙情報を用紙収納部に登録した回数の多い順に表示する用紙リストを作成する。用紙リスト作成にかかる処理の詳細は後述する。
【００５４】
用紙登録履歴情報１２１３は、用紙データベースに記憶されている各用紙情報についてどの用紙情報をどの用紙収納部に何回登録したかを示す情報である。本情報は、用紙リスト作成部１２１１が用紙リスト作成する時に利用される。
【００５５】
用紙登録履歴情報管理部１２１２は、用紙登録履歴情報１２１３を管理する。たとえば、用紙登録履歴情報管理部１２１２はユーザが用紙リストから用紙情報を選択して、用紙収納部に登録したことに従って、用紙登録履歴情報１２１３を更新する。用紙データベース情報１２１４は、印刷装置１０３において利用可能な用紙の種類やサイズ、坪量等の用紙情報を記憶するデータベースである。本データベースは記憶装置３０９に記憶されている。
【００５６】
用紙データベース情報１２１４には、印刷装置１０３の製品仕様として予め登録されている用紙情報に加え、ユーザが用紙管理アプリケーションを用いて所定の操作を行い作成する用紙情報も記憶されている。また、印刷装置１０３においても同じ情報を記憶しており、印刷装置１０３または印刷制御装置１０２のいずれかのデータベースが更新されるとデータ送受信部１２０４を介して他方のデータベースも更新される。
【００５７】
用紙収納画面表示部１２０６は、図６の用紙収納部ボタン４０６〜４１１の表示を制御する。ユーザが用紙リストから用紙情報を選択し、用紙収納部に登録したことに従って、用紙収納ボタンに登録された用紙情報を表示する。
【００５８】
検知部１２０７は、図６の用紙管理アプリケーションのトップ画面４０１上でのポインタデバイス１１５などの操作部によるクリック動作を検知する。検知部１２０７はポインタデバイス１１５がクリックされたことを検出するとともに、クリックが行われた位置についての情報を取得する。
【００５９】
用紙設定可否取得部１２０８は、印刷装置１０３へ、ユーザが選択した用紙情報の用紙が各用紙収納部にセットできるか否かを問い合わせる。また、印刷装置１０３から、その問い合わせ結果を受信する。
【００６０】
用紙収納情報１２１０は、印刷装置１０３が備える用紙収納部に登録されている用紙情報を記憶する。用紙収納情報１２１０は各用紙収納部と、各用紙収納部に収納された用紙の用紙情報を対応づけて記憶している。たとえば、図６（ａ）に示すトップ画面４０１が表示装置１１３に表示されているとき、用紙収納情報１２１０は４０６の用紙収納デッキ１に片面コート紙、Ａ４、１００ｇｓｍ、白の用紙情報が登録されていることを記憶している。
【００６１】
用紙登録情報管理部１２０９は、ユーザからキーボード１１４およびポインタデバイス１１５の操作に応じて用紙収納情報１２１０を更新する。また、用紙収納情報１２１０が更新された際は、データ送受信部１２０４を介して、印刷装置１０３が持つ図５の用紙収納情報９０６と同期する。
【００６２】
図５は、印刷装置１０３のソフトウェア構成を示すブロック図である。これらのソフトウェアモジュールは、記憶装置２１１にプログラムとして格納されＣＰＵ２０１によってＲＡＭ２０２に読み出され実行される。
【００６３】
ＵＩ制御部１３０１は、操作部２０５への表示および操作部２０５からの入力を制御する。
【００６４】
印刷ジョブ解析部１３０２は、印刷制御装置１０２から受信する印刷ジョブのデータを解析する。印刷ジョブ処理部１３０３は、印刷ジョブに対して印刷装置１０３で必要な印刷処理を実行する。印刷ジョブ実行部１３０４は、印刷ジョブに対する用紙収納、紙搬送、印字、排紙などの一連の印刷動作を制御する。印刷ジョブ実行部１３０４は、印刷ジョブ解析部１３０２の解析した使用する用紙の情報および、後述する用紙収納情報１３０６に基づいて、使用する用紙がセットされている用紙収納部を特定し、当該トレイから給紙を行う。データ送受信部１３０５は、印刷制御装置１０２との間のデータ送受信を制御する。
【００６５】
用紙収納情報１３０６は、印刷装置１０３が備える各用紙収納部と、各用紙収納部に登録されている用紙情報との関係を記憶したものである。用紙収納情報１３０６は、用紙管理アプリケーションを用いて設定される用紙収納情報１２１０と同期されることで情報が更新される。
【００６６】
用紙と用紙収納部の対応表１３０７は、用紙収納部と各用紙収納部にセットすることのできる用紙の関係を示す表である。
【００６７】
用紙登録可否判断部１３０８は、印刷制御装置１０２から問い合わせがあった場合に、用紙と用紙収納部の対応表１３０７を参照し、問い合わせのあった用紙を各用紙収納部にセットすることができるか否かを判断する。
【００６８】
用紙収納情報設定部１３１０は、各用紙収納部に登録されている用紙情報を記憶したり、各用紙収納部に登録されている用紙情報を取得したりするための処理を行う。
【００６９】
用紙登録履歴情報取得部１３０９は、印刷装置１０３において用紙収納情報１３０６が更新されるとその情報を取得し、印刷制御装置１０２へデータ送受信部１３０５を介して送信する。
【００７０】
用紙データベース情報１３１１は、前述の印刷制御装置１０２における用紙データベース情報１２１４と同じため説明を省略する。本データベースは記憶装置２１１に記憶されている。
【００７１】
データ取得部１３１２は、印刷装置１０３のＲＯＭ２０３や記憶装置２１１から印刷装置１０３のモデル情報やハードウェアオプション情報を取得する。取得された情報は印刷制御装置１０２からの要求に応じて、データ送受信部１３０５を介して印刷制御装置１０２に送信される。
【００７２】
図４、図５において用紙収納情報１２１０および１３０６、用紙データベース情報１２１４および１３１１は印刷制御装置１０２および印刷装置１０３の両方に記憶されていることとした。しかし、用紙情報、用紙データベース情報はそれぞれ印刷制御装置１０２と印刷装置１０３のいずれかに記憶されていることとしてもよい。
【００７３】
図６を用いて、用紙管理アプリケーションの画面について説明する。図６は用紙管理アプリケーションが起動したときに表示装置１１３に表示されるトップ画面である。用紙管理アプリケーションは、ユーザが印刷制御装置１０２上で起動することにより動作する。
【００７４】
図６（ａ）は、印刷装置１０３の各用紙収納部に収納された用紙の用紙情報を表示した状態の画面である。図６（ｂ）は印刷装置１０３の各種調整項目を設定することが可能なボタンを表示した画面である。用紙管理アプリケーションのトップ画面は、ＣＰＵ３０１からの指示に従ってそのビデオメモリに描画すると共に、ビデオメモリに描画されたイメージデータをビデオ信号として表示装置１１３に出力され、表示される。
【００７５】
トップ画面４０１は用紙管理アプリケーションの初期画面である。表示領域４０２は、デバイスタブ４０３、調整タブ４０４を用いて表示内容を変更することのできる領域である。ユーザがデバイスタブ４０３を押下すると、表示領域４０２に印刷装置１０３の用紙収納部にセットされた用紙の用紙情報を表示した図６（ａ）が表示される。
【００７６】
用紙管理アプリケーションが起動したときに、印刷制御装置１０２は印刷装置１０３のハードウェアオプション情報を取得し、このオプション情報に従い、正しい画像を表示する。
【００７７】
図６（ａ）では、用紙収納部として、複数の用紙収納デッキ（内部用紙収納デッキ）、長尺デッキ（外部用紙収納デッキ）、複数のインサータ、手差しトレイが複数取り付けられており、フィニッシャが取り付けられている状態を表している。
【００７８】
用紙収納部ボタン４０６、４０７はそれぞれ用紙収納デッキ１、用紙収納デッキ２の用紙収納部ボタンであり、用紙収納部ボタン４０８は長尺デッキの用紙収納部ボタンである。用紙収納部ボタン４０９は手差しトレイの用紙収納部ボタンであり、用紙収納部ボタン４１０、４１１はインサータ１、インサータ２の用紙収納部ボタンである。
【００７９】
用紙収納部ボタン４０６〜４１１は、各用紙収納部にセットされている用紙の用紙情報が表示され、トップ画面４０１に選択可能に表示される。用紙管理アプリケーションは起動した時に取得した印刷装置１０３の用紙収納部の情報を元に、用紙収納部ボタンを作成して配置する。
【００８０】
使用割当ボタン４１２は、用紙収納部ボタン４０６〜４１１のそれぞれに配置されている。使用割当ボタン４１２は、色が異なる使用割当ボタン４１２Ａの状態と４１２Ｂの状態とを有する。使用割当ボタン４１２Ａは、使用可状態を示し、使用割当ボタン４１２Ｂは使用不可状態を示している。
【００８１】
使用割当ボタン４１２をユーザが押下することで用紙収納部が使用可（使用割当ボタン４１２Ａの状態）か使用不可（使用割当ボタン４１２Ｂの状態）であるかを切り替えてもよい。
【００８２】
用紙リスト表示領域４１４は、用紙データベース情報１２１４に記憶されている用紙情報に基づく用紙リストを表示する領域である。
【００８３】
列に用紙のサイズや坪量などの用紙情報を表示し、行に用紙の種類を表示する。表示されている用紙の用紙情報以外を表示したい場合は、スライダーバー４１５を操作する。
【００８４】
また、表示されている用紙以外を表示したい場合は、スライダーバー４１６を操作する。デバイスタブ４０３を選択しているときは、用紙収納部にセットされている用紙の用紙情報と、用紙データベース情報１２１４に記憶されている用紙情報の一覧の両方を同時に確認することができる。
【００８５】
図６（ｂ）は用紙リスト表示領域４１４に表示される用紙情報について各調整項目の設定を行うための画面である。調整項目リスト４１７は各種調整項目の設定を行うためのボタンが配された領域である。印刷装置１０３で調整可能な調整項目が表示されている。スライダーバー４１８は、ユーザが操作することで現在表示されていない調整項目の設定を確認することができる。
【００８６】
ユーザは用紙管理アプリケーションのトップ画面を用いて用紙収納部に収納された用紙の用紙情報を登録する。ユーザはデバイスタブ４０３を選択する。ユーザは、ポインタデバイス１１５のカーソルを選択する用紙の用紙情報に合わせて押下する。選択することのできる用紙情報は、用紙リストに表示されている用紙情報または、用紙収納部ボタン４０６〜４１１に現在登録されている用紙情報である。
【００８７】
ユーザは、選択したい用紙情報にカーソルを合わせてポインタデバイス１１５のボタンを押したまま、用紙情報の用紙をセットする用紙収納部ボタンが表示されている位置までカーソルを動かす。カーソルが登録を行いたい用紙収納部ボタンの位置まで移動したのち、ユーザがポインタデバイスのボタンを離す。
【００８８】
このようにすることで、選択された用紙情報をユーザがポインタデバイスのボタンを離したときにカーソルが指示している用紙収納部に登録することができる。ユーザは用紙情報を用紙収納部に登録した後、用紙収納部に用紙情報の用紙を収納する。
【００８９】
なお、用紙収納部が使用不可である状態をわかりやすくするために用紙管理アプリケーション上の用紙収納部ボタンの表示変更を行ってもよい。例えば、用紙収納部表示を変更し、用紙名称表示をグレーで表示することや、用紙収納部ボタンの色を薄いピンクなどで表示することである。
【００９０】
また、用紙収納部が使用不可である状態であっても、使用割当ボタン４１２が押下されたことにより使用不可になっている状態と、用紙収納部ボタンが選択され、用紙設定を行ったことによって使用不可になっている状態とを異なる表示としてもよい。
【００９１】
図７に印刷制御装置１０２が用紙管理アプリケーションを起動した際に行う処理を示す。図７のフローチャートに係る処理を実行するためのプログラムは、図３の記憶装置３０９に格納されており、ＲＡＭ３０２に読み出されＣＰＵ３０１によって実行される。
【００９２】
用紙管理アプリケーションが起動すると、用紙管理アプリケーションは用紙管理の対象となる印刷装置１０３のモデルを判別する（Ｓ５０１）。具体的には、用紙管理アプリケーションは、印刷装置１０３と通信を行ってモデル情報を取得し、用紙管理アプリケーションが予め保持しているモデル判別情報を元に、印刷装置１０３のモデルを判別する。
【００９３】
ステップＳ５０１の後、用紙管理アプリケーションは、印刷装置１０３の接続されているハードウェアオプション情報を判別する（ステップ５０２）。具体的には、用紙管理アプリケーションは、印刷装置と通信を行い、ハードウェアオプション情報を取得し、用紙管理アプリケーションがあらかじめ保持しているハードウェアオプション情報を元に、ハードウェアオプション情報の判別を行う。
【００９４】
ステップＳ５０２の後、用紙管理アプリケーションは、用紙管理の対象となる印刷装置１０３に接続されている用紙収納部の判別を行い、接続されている用紙収納部の数を特定する（Ｓ５０３）。
【００９５】
ステップＳ５０３の後、用紙管理アプリケーションは、印刷装置１０３と通信を行いそれぞれの用紙収納部に設定されている用紙情報を取得する（Ｓ５０４）。
【００９６】
ステップＳ５０４の後、用紙管理アプリケーションは、画面４０５に表示する用紙収納部ボタン４０６〜４１１の情報を作成する（Ｓ５０５）。
【００９７】
ステップＳ５０５の後、用紙管理アプリケーションは、印刷装置１０３と通信を行って用紙リスト情報を取得する（Ｓ５０６）。用紙リスト情報は印刷装置１０３の記憶装置２１１に記憶されており、印刷装置１０３に記憶されている用紙リストは印刷制御装置１０２に記憶されている用紙リストと同期されている。
【００９８】
ステップＳ５０６の後、用紙管理アプリケーションは、用紙リスト表示領域４１４に表示する用紙リストを作成する（Ｓ５０７）。上記の方法以外でも、印刷制御装置１０２の表示装置１１３において表示する用紙リストが作成される処理が行われればよい。例えば、ステップＳ５０５において、データ送受信部１２０４は、印刷装置１０３と印刷制御装置１０２とに記憶されている用紙データベースを同期する。Ｓ５０６において、同期後の用紙データベースに基づいて用紙リスト作成部１２１１が用紙リストを生成することとしてもよい。
【００９９】
ステップＳ５０７の後、用紙管理アプリケーションは、印刷装置と通信を行い、調整項目リスト４１７に含まれる調整ボタンを用いて各種調整項目の調整値を取得する（Ｓ５０８）。
【０１００】
ステップ５０８の後、ＵＩ制御部１２０１は、取得した調整値に基づいて、調整項目リスト４１７に含まれる各調整ボタンに表示する文字列を作成する。調整値が一つしかない場合はその値を表示し、２つ以上ある場合は調整あり／調整なしを表示する（Ｓ５０９）。
【０１０１】
ＵＩ制御部１２０１は、（）内の情報を用いて用紙管理アプリケーションのトップ画面４０１を作成する。トップ画面４０１は、具体的に、ステップＳ５０１、Ｓ５０２で取得した印刷装置１０３のモデル情報およびハードウェアオプション情報を含む。さらにトップ画面４０１は、ステップＳ５０５で作成した用紙収納部ボタン情報、ステップＳ５０７で作成した用紙リスト情報、ステップＳ５０９で作成した調整ボタン情報を含む。そして、作成したトップ画面４０１は、表示装置１１３に表示される（Ｓ５１０）。これにより、図６（ａ）、図６（ｂ）に示す画面が生成される。
【０１０２】
図８のフローチャートを用いて、印刷制御装置１０２が起動したときの印刷装置１０３の動作を説明する。図８のフローチャートに係る処理を実行するためのプログラムは、図２の記憶装置２１１に格納されており、ＲＡＭ２０２に読み出され、ＣＰＵ２０１によって実行される。印刷装置１０３は、起動することで処理を開始する。
【０１０３】
まず、印刷装置１０３は、自身のモデル情報を記憶装置２１１より取得し、返信可能なデータとして作成する（Ｓ６０１）。
【０１０４】
ステップＳ６０１の後、印刷装置１０３は、自身に接続されているハードウェアオプション情報を記憶装置２１１より取得し、返信可能なデータとして作成する（Ｓ６０２）。
【０１０５】
ステップＳ６０２の後、印刷装置１０３は、自身の用紙収納部情報に関する情報と、ステップＳ６０２で取得したハードウェアオプション情報から、用紙収納部情報のデータを作成する（Ｓ６０３）。
【０１０６】
ステップＳ６０３の後、印刷装置１０３は自身の用紙リスト情報を記憶装置２１１より取得し、返信可能なデータとして作成する（Ｓ６０４）。
【０１０７】
ステップＳ６０４の後、印刷装置１０３は自身の調整値情報を記憶装置２１１より取得し、返信可能なデータとして作成する（Ｓ６０５）。なお調整値は印刷装置１０３で実施可能な調整項目すべてに対する調整値を取得する。
【０１０８】
ステップＳ６０５の後、Ｓ６０６にて印刷装置１０３は印刷制御装置１０２よりモデル情報の問合わせを受信したか否かを判断する。モデル情報の問合わせを受信した場合は、ステップＳ６０７に遷移する。モデル情報の問い合わせを受信しなかった場合は、ステップＳ６０８に遷移する。
【０１０９】
モデル情報の問合わせを受信した場合には、ステップＳ６０１で作成したモデル情報を印刷制御装置１０２に送信する（Ｓ６０７）。
【０１１０】
ステップＳ６０７の後、または、ステップＳ６０６でモデル情報の問合わせを受信しなかった場合に、印刷装置１０３は印刷制御装置１０２よりハードウェアオプション情報の問合せを受信したか否かを判断する（Ｓ６０８）。
【０１１１】
ステップＳ６０８において、ハードウェアオプション情報の問合せを受信していた場合はＳ６０９に遷移し、ハードウェアオプション情報の問合せを受信していなかった場合には、ステップＳ６１０に遷移する。
【０１１２】
ハードウェアオプション情報の問合せを受信していた場合、データ送受信部１３０５は、ステップＳ６０２で作成したハードウェアオプション情報を印刷制御装置１０２に送信する（ステップＳ６０９）。
【０１１３】
ステップＳ６０９の後、または、ステップＳ６０８でハードウェアオプション情報の問合せを受信していなかった場合に、印刷装置１０３は、印刷制御装置１０２より用紙収納部情報の問合せを受信したか否かを判断する（Ｓ６１０）。
【０１１４】
ステップＳ６１０において用紙収納情報の問合せを受信した場合には、ステップＳ６１１に遷移し、用紙収納情報の問合せを受信した場合にはステップＳ６１２に遷移する。このとき、用紙収納情報の問合せを受信した場合には、ステップＳ６０３で作成した用紙収納部情報を印刷制御装置１０２に送信し（Ｓ６１１）、ステップＳ６１２に遷移する。
【０１１５】
ステップＳ６１１の後、または、ステップＳ６１０において用紙情報の問合せを受信しなかった場合には、印刷装置１０３は印刷制御装置１０２より用紙リスト情報の問合せを受信したか否かを判断する（Ｓ６１２）。
【０１１６】
ステップＳ６１２で、用紙リスト情報の問合せを受信していた場合はＳ６１３に遷移し、用紙リスト情報の問合せを受信していなかった場合はＳ６１４に遷移する。
【０１１７】
用紙リスト情報の問合せを受信していた場合は、Ｓ６０４で作成した用紙収納部情報を印刷制御装置１０２に送信し（Ｓ６１３）、ステップＳ６１４に遷移する。
【０１１８】
ステップＳ６１３の後、または、ステップＳ６１２において用紙リスト情報の問合せを受信しなかった場合には、印刷装置１０３は印刷制御装置１０２より調整値情報の問合せを受信したか否かを判断する（Ｓ６１４）。
【０１１９】
ステップＳ６１４で、調整値情報の問合せを受信していた場合はＳ６１５に遷移し、調整値情報の問合せを受信していなかった場合はＳ６０６に遷移する。
【０１２０】
調整値情報の問合せを受信していた場合は、Ｓ６０５で作成した用紙収納部情報を印刷制御装置１０２に送信する（Ｓ６１５）。
【０１２１】
ステップＳ６１５の後、または、ステップＳ６１４において調整値情報の問合せを受信しなかった場合には、処理をＳ６０６にもどす。
【０１２２】
図９は用紙収納デッキ１の用紙設定画面である。用紙収納デッキ１の用紙設定画面は、ＣＰＵ３０１からの指示に従ってそのビデオメモリに描画すると共に、ビデオメモリに描画されたイメージデータをビデオ信号として表示装置１１３に出力され、表示される。
【０１２３】
トップ画面７０１は用紙収納デッキ１の用紙収納部画面の初期画面である。トップ画面７０１には、用紙情報表示領域７０２と、用紙リスト表示領域７０３と、割当ボタン７０４、用紙リスト更新ボタン７０５、閉じるボタン７０６が表示される。
【０１２４】
用紙情報表示領域７０２は現在選択されている用紙の設定情報を表示する。用紙収納部ボタン４０６を押下して、トップ画面７０１が開いた時には、用紙収納デッキ１に現在割り当てられている用紙の情報を表示する。
【０１２５】
用紙リスト表示領域７０３は、印刷制御装置１０２と印刷装置１０３が管理している用紙情報をリスト化して表示する。用紙リスト表示領域７０３に表示された用紙リストから用紙を選択した場合は、選択された用紙の情報を用紙情報表示領域７０２に表示する。
【０１２６】
まず、用紙情報表示領域７０２の各入力項目について説明する。テキストフィールド７０７は用紙の名称を入力することが可能な領域である。テキストフィールド７０７に記載された名称を変更する場合は、テキストエリアにキーボード１１４等を使用して、文字を入力することが可能である。以降の説明では、入力時にキーボード１１４等を使用するといった説明は省略する。
【０１２７】
用紙リスト更新ボタン７０５を押下することで、印刷制御装置１０２、印刷装置１０３の用紙情報に変更した情報が反映される。以後、設定変更を行った場合においても同様である。
【０１２８】
テキストフィールド７０８は坪量を入力することが可能な領域である。操作に関してはテキストフィールド７０７と同様であるため説明を省略する。
【０１２９】
コンボボックス７０９は、用紙のサイズ情報を表示する領域である。リスト表示されたサイズ情報から所望のサイズを選択して、設定することが可能となる。コンボボックス７１０は、表面性情報を表示する領域である。コンボボックス７１１は、特長情報を表示する領域である。コンボボックス７１２は、色情報を表示する領域である。コンボボックス７１３は、両面２面目情報を表示する領域である。コンボボックス７１４は、スキ目情報を表示する領域である。コンボボックス７１０、７１１、７１２、７１３、７１４の操作に関してはコンボボックス７０９と同様であるため説明を省略する。
【０１３０】
設定領域７１５は、調整関連の設定をまとめて表示する領域である。ここでは、例として一部の調整項目を示した。図９のように設定領域７１５に調整項目が多数存在する際に、現在表示されていない調整の設定項目を確認する場合は、スライダーバー７１６を操作することで設定値を表示することが可能である。
【０１３１】
設定項目ボタン７１７は画像位置調整の設定を行うボタンであり、現在の用紙が既に調整済みかを表示する。すでに調整済みの場合は、調整ありと表示し、調整していない場合は、調整なしと表示する。設定項目ボタン７１７を押下することで、調整画面が開き、この調整画面で各種調整値を入力することが可能である。
【０１３２】
設定項目ボタン７１８は、カール補正の設定を行うボタンである。設定項目ボタン７１９は、サドル折位置の調整を行うボタンである。この設定項目ボタン７１９には、現在の調整値を例えばｍｍ単位で表示する。
【０１３３】
設定項目ボタン７２０はクリープ補正量の調整を行うボタンである。設定項目ボタン７２１は中とじ折位置の調整を行うボタンである。設定項目ボタン７２２は中とじ位置調整の調整を行うボタンである。設定項目ボタン７２３は二次転写電圧の調整を行うボタンである。設定項目ボタン７２４は先端部二次転写電圧の調整を行うボタンである。
【０１３４】
設定項目ボタン７２５は二次転写除電バイアスの調整を行うボタンである。設定項目ボタン７２６は一次転写電圧の調整を行うボタンである。設定項目ボタン７１８〜７２６の操作に関しては、設定項目ボタン７１７と同様であるため説明を省略する。
【０１３５】
次に、用紙リスト表示領域７０３について説明する。表７２７は用紙リストを表示する表である。列に用紙の用紙情報を行に用紙が設定され、行に各用紙情報が設定される。
【０１３６】
表示されている用紙の用紙情報以外を表示したい場合は、スライダーバー７２８を操作することで表示可能となる。
【０１３７】
また、表示されている用紙以外を表示したい場合は、スライダーバー７２９を操作することで表示可能となる。行７３０は用紙情報表示領域７０２に表示されている用紙のパラメータを示している。選択されていることが分かるように反転表示されている。
【０１３８】
行７３１〜７３３は、用紙情報表示領域７０２に表示されていない用紙のパラメータである。用紙リスト表示領域７０３の表７２７より、選択されていない行７３１〜７３３のいずれかを選択すると、用紙情報表示領域７０２に選択中の用紙の情報が表示される。この状態で、割当ボタン７０４を押下することで、用紙収納部１に新たに選択した用紙を割り当てることが可能となる。何も変更せずに終了する場合は、閉じるボタン７０６を押下する。
【０１３９】
図１０を用いて、画像形成システムにおける用紙収納部の使用可否制御の処理について、フローチャートで説明する。
【０１４０】
図１０において、印刷制御装置１０２のプログラムは、図３の記憶装置３０９に格納されており、ＲＡＭ３０２に読み出されＣＰＵ３０１によって実行される。
【０１４１】
ステップＳ８０１において、用紙管理アプリケーションは、図６の表示領域４０２に表示された使用割当ボタン４１２の押下（ソフトウェア割り込み）を検知したか否かを判断する。所定の用紙収納部の使用割当ボタン４１２の押下を検知した場合は、ステップＳ８０２に遷移し、所定の用紙収納部の使用割当ボタン４１２の押下を検知しない場合には、ステップＳ８０１に戻る。
【０１４２】
ステップＳ８０２において、所定の用紙収納部に収納された用紙を印刷に使用することが可能な場合に、用紙管理アプリケーションは、ステップＳ８０３に遷移する。
【０１４３】
ステップＳ８０３において、用紙管理アプリケーションは、所定の用紙収納部に格納されている用紙の用紙情報をＲＡＭ３０２に保存する。保存した用紙情報は、後述のステップＳ８０５において、所定の用紙収納部に収納された用紙を使用可から使用不可となった後、再びステップＳ８０１で使用割当ボタンの押下が検知され、ステップＳ８０７で使用不可から使用可にする際に用いる。
【０１４４】
ステップＳ８０４では、所定の用紙収納部にＮＡメディアという特別な用紙情報を設定する。ＮＡメディアは、用紙ＩＤ：０、用紙サイズ：なし、用紙種類：なしという用紙情報を有している。用紙管理アプリケーションは、ＮＡメディアの用紙情報を用紙収納部に設定する。そしてＮＡメディアを設定したことを印刷装置１０３に通知する。
【０１４５】
印刷装置１０３は受信した通知を基に用紙収納部に収納された用紙の用紙情報を設定する。これにより、用紙名指定、用紙収納部指定を行った印刷ジョブを実行すると印刷装置１０３は該当する用紙サイズ、用紙種類がないため必ず用紙なし状態となり、結果としてその用紙収納部に収納された用紙は使用できない状態となる。
【０１４６】
ステップＳ８０５において、用紙管理アプリケーションは、所定の用紙収納部に収納された用紙が使用できることを示す使用割当ボタン４１２Ａの表示から、使用できないことを示す使用割当ボタン４１２Ｂの表示に変更する。ステップＳ８０５を終えるとフローが終了し、用紙管理アプリケーションは、再び用紙割り当てボタンの押下の待ち受け状態に戻る。
【０１４７】
ステップＳ８０２において、用紙管理アプリケーションは、所定の用紙収納部に収納された用紙を使用することができない場合にステップＳ８０６に遷移する。
【０１４８】
ステップＳ８０６において、用紙管理アプリケーションは、ステップＳ８０３において保存していた用紙情報を所定の用紙収納部に設定する。
【０１４９】
ステップＳ８０７において、用紙管理アプリケーションは、用紙収納部に収納された用紙が使用できないことを示す使用割当ボタン４１２Ｂの表示から、使用できることを示す使用割当ボタン４１２Ａの表示に変更する。このとき、印刷制御装置１０２は、印刷装置１０３に用紙収納部に収納された用紙が使用できることを通知し、印刷装置は用紙収納部に収納された用紙を使用できるようにする。
【０１５０】
ステップＳ８０７を終えるとフローが終了し、用紙管理アプリケーションは、再び用紙割り当てボタンが押下されることを待ち受ける状態に戻る。
【０１５１】
図１１を用いて、印刷制御装置１０２における用紙収納部の用紙設定処理について、フローチャートで説明する。図１１において、印刷制御装置１０２のプログラムは、図３の記憶装置３０９に格納されており、ＲＡＭ３０２に読み出されＣＰＵ３０１によって実行される。
【０１５２】
ステップＳ９００において用紙管理アプリケーションは、ユーザによって選択された用紙収納部に収納された用紙の用紙情報の変更を受け付ける。
【０１５３】
ステップＳ９０１において用紙管理アプリケーションは、変更後の用紙情報を記憶装置３０９に記憶する。ステップＳ９１０において、用紙管理アプリケーションは受け付けた変更を印刷装置１０３に送信する。
【０１５４】
ステップＳ９０２において用紙管理アプリケーションは、用紙収納部に収納された用紙の用紙情報を更新する。具体的には用紙設定前の用紙の状態がトップ画面４０１の状態であった場合に、用紙管理アプリケーションは用紙収納デッキ１の用紙収納部ボタンに表示されている用紙名称を片面コート紙から厚紙に変更する。
【０１５５】
なお、ステップＳ９０２において、用紙管理アプリケーションは、選択された用紙収納部に収納された用紙の用紙表示を更新したが、このとき用紙収納部ボタンの表示を用紙設定中表示に変更してもよい。ただし用紙管理アプリケーションは、後述のステップＳ９０９において用紙収納部ボタンの用紙設定中表示を解除する。
【０１５６】
ステップＳ９０３において、用紙管理アプリケーションは、用紙収納部に収納された用紙の用紙情報としてＮＡメディアを設定する。これにより選択された用紙収納部が使用できないようにし、用紙管理アプリケーションは用紙情報を変更した用紙収納部の用紙収納部の使用割当ボタン４１２Ａの表示を使用割当ボタン４１２Ｂの表示に変更する。そして、印刷制御装置１０２は、選択された用紙収納部に収納された用紙を使用しないよう印刷装置１０３に指示を出す。
【０１５７】
ステップＳ９０４において、用紙変更をする用紙収納部が、用紙収納デッキ、インサータまたは手差しである場合には、ステップＳ９０８に遷移する。
【０１５８】
ステップＳ９０８において、用紙管理アプリケーションは、印刷装置１０３に対して、用紙情報が変更された用紙収納部に用紙が収納されているか否かを問い合わせる。そして、用紙管理アプリケーションは印刷装置１０３から用紙が収納されているか否かの検知結果を受信する（検知受信）。
【０１５９】
用紙が対象の用紙収納部に収納されていないとの結果を受信した場合に、用紙管理アプリケーションは、ステップＳ９０８にて印刷装置１０３からの受信結果の変更を待ち受ける。用紙が対象の用紙収納部に収納されているとの結果を受信した場合に、用紙管理アプリケーションは、ステップＳ９０９に遷移する。
【０１６０】
ステップＳ９０９において、用紙管理アプリケーションは、用紙収納部に収納された用紙が使用できない状態から、使用できる状態になるように印刷装置１０２に、用紙収納部に収納された用紙を使用してもよい旨の指示をだす。具体的には用紙収納部に収納された用紙の用紙情報をＮＡメディアから使用可の状態のときに保存していた用紙情報（例えば、図１０のＳ８０３で保存した用紙情報）に設定する。そして、用紙管理アプリケーションは用紙収納部の使用割当ボタン４１２Ｂの表示を使用割当ボタン４１２Ａの表示に変更する。ステップ９１２を終えるとフローが終了する。
【０１６１】
ステップＳ９０４において、用紙変更する用紙収納部が、用紙収納デッキ、インサータまたは手差しではない場合には、ステップＳ９１１に遷移する。
【０１６２】
ステップ９１１において、用紙管理アプリケーションは、ユーザによって用紙収納部に収納された用紙が使用できるように変更されたか否かを調べる。用紙収納部が使用できるように変更されていない場合には、ステップＳ９１１に戻り、用紙収納部が使用できるようになることを待ち受ける。一方、用紙収納部に収納された用紙が使用できるように変更された場合は、ステップＳ９１２に遷移する。
【０１６３】
なお、ユーザによって用紙収納部に収納された用紙が使用できるように変更されたときとは、ステップＳ９０３の後、用紙収納部の使用割当ボタン４１２Ｂが押下され、使用割当ボタン４１２の表示が、使用割当ボタン４１２Ａに変化したときである。これは、例えば、用紙収納部の用紙の入れ替えの必要がない場合や、印刷装置１０３に外部接続された用紙収納部である長尺デッキ１１６において、外部接続された装置側での設定、調整を行う場合である。
【０１６４】
ステップＳ９１２では、用紙管理アプリケーションが印刷装置１０３に用紙情報を変更した用紙収納部を使用可にする通知を送信する。ステップ９１２を終えるとフローが終了する。
【０１６５】
なお、図１１において、用紙管理アプリケーションからの用紙収納部への用紙設定の方法には、用紙収納デッキ１のトップ画面７０１で用紙を選択、設定変更、調整値の指定を行う方法を示した。しかし、用紙リスト表示領域４１４から設定する用紙収納部を選択する方法であってもよい。どちらの場合にも用紙を用紙収納部に設定するためには設定する用紙情報と設定する用紙収納部情報が必要なことは共通であり、用紙管理アプリケーションの処理は共通である。
【０１６６】
図１２を用いて、印刷装置１０３における用紙収納部の用紙設定処理について、フローチャートで説明する。図１２において、印刷装置１０３のプログラムは、図２の記憶装置２１１に格納されており、ＲＡＭ２０２に読み出されＣＰＵ２０１によって実行される。
【０１６７】
ステップＳ１４００において印刷装置１０３は、図１１のステップＳ９１０において印刷制御装置１０２から印刷装置１０３に送信された、所定の用紙収納部に収納された用紙の用紙情報の変更を受信する。ステップＳ１４０５において印刷装置１０３は、変更した用紙情報を記憶する。
【０１６８】
ステップＳ１４０１において印刷装置１０３は、印刷制御装置１０２から用紙情報の変更を受け付けた用紙収納部に収納された用紙が使用できなくなったことの通知を受信し、当該用紙収納部に収納された用紙を使用できなくする。
【０１６９】
なお、印刷装置１０３において、用紙情報の変更を受け付けた用紙収納部に収納された用紙を使用できなくすることで、ユーザが用紙情報の変更を受け付けた用紙収納部の用紙を用いて印刷を行うことができない状態となる。そのため、用紙情報の変更がまだ完了していない用紙収納部の用紙が印刷に使用されることを抑制することができる。
【０１７０】
ステップＳ１４１０にて、変更を受け付けた用紙収納部が、用紙収納デッキ、インサータまたは手差しである否かを判定する。変更を受け付けた用紙収納部が、用紙収納デッキ、インサータまたは手差しである場合にはステップＳ１４０２に遷移する。
【０１７１】
ステップＳ１４０２において、印刷装置は、図１１のＳ９０８に遷移した場合に、変更を受け付けた用紙収納部に用紙が収納（載置）されたか否かを検知する。なお、変更を受け付けた用紙収納部が用紙収納デッキは、開閉可能であり、用紙収納デッキの開閉を開閉検知センサによって検知する。具体的には、用紙収納デッキが閉じられた状態から開けられた状態になったことを検知し、用紙収納デッキが開けられた状態から閉じられた状態になった状態を検知したら、用紙収納デッキに用紙が載置されているか否かを用紙検知センサによって検知する。
【０１７２】
また、変更を受け付けた用紙収納部がインサータまたは手差しである場合には、用紙が収納（載置）されていない状態から用紙が収納された状態になることで検知を行う。ただし、インサータまたは手差しが収納された用紙のサイズを検知できれば、用紙情報の変更前に用紙が収納されていても、変更した用紙情報に対応した用紙に置き代えたことを検知した場合にも、用紙が収納されたものとする。
【０１７３】
ステップＳ１４０２において、変更を受け付けた用紙収納部に用紙が収納（載置）されたとされた場合にはステップＳ１４０３に遷移する。
【０１７４】
ステップＳ１４０３において、印刷装置１０３は、検知結果を印刷制御装置１０２に送信する（検知結果送信）。具体的には印刷装置１０３は、用紙管理アプリケーションに変更を受け付けた用紙収納部に用紙が収納されたことを通知する。なお、ここで送信された検知結果は、図１１のステップＳ９０８で印刷制御装置１０２が受信する。ステップＳ１４０３の後、印刷装置１０３はステップＳ１４０４に遷移する。
【０１７５】
ステップＳ１４０４において、印刷装置１０３は、用紙情報の変更を受け付けた用紙収納部に収納された用紙を使用できない状態から使用できる状態にする。なお、用紙情報の変更を受け付けた用紙収納部に収納された用紙が使用できるようになったため、ユーザが当該用紙収納部の用紙を用いて印刷を行うことが可能となる。ステップＳ１４０４を終えると、フローが終了する。
【０１７６】
一方、ステップＳ１４１０において、変更を受け付けた用紙収納部が、用紙収納デッキ、インサータまたは手差しでない場合にはステップＳ１４１１に遷移する。
【０１７７】
ステップＳ１４１１において、図１１のステップＳ９１２における、用紙収納部を使用可にする通知を印刷制御装置１０２から受信した場合にはステップＳ１４０４に遷移する。受信しない場合には、受信をするまでステップＳ１４１１で通知を待ち受ける。ステップＳ１４１１を終えると、ステップＳ１４０４に遷移する。
【０１７８】
以上のように、用紙収納部に収納された用紙の用紙情報を変更してから、変更された用紙情報との整合性がとれた用紙を用紙収納部に収納するまでの間は、用紙情報の変更を受け付けた用紙収納部に収納された用紙を使用できなくする。
【０１７９】
そして、変更された用紙情報との整合性がとれた用紙を用紙収納部に収納した後は、用紙情報の変更を受け付けた用紙収納部に収納された用紙を使用できるようにする。これにより、用紙情報の変更を受け付けた用紙収納部に収納された用紙の用紙情報を変更してから、変更された用紙情報との整合性がとれた用紙を用紙収納部に収納する場合において、紙詰まりや画質不良などが生じることを抑制することが可能となる。
【０１８０】
なお、本実施例では印刷装置１０３と印刷制御装置１０２とが、異なる装置である場合を説明したが、１つの装置で構成されてもよい。その場合には、印刷装置のハードウェア構成およびソフトウェア構成が、印刷制御装置のハードウェア構成およびソフトウェア構成を含む。
【０１８１】
（実施例２）
図１３を用いて本実施例の画像形成システムを説明する。図１３は、用紙収納部ボタンの表示の一例である。図１〜１２と同様の機能を有する部分には同様の符号を付し、詳細な説明を省略する。
【０１８２】
本実施例は、実施例１と用紙情報の設定画面が異なる。図１３は、用紙収納部ボタン４０６をポインタデバイス１１５によって用紙収納部に収納された用紙の用紙情報の詳細を表示させた場合に、表示されるコンテキストメニューを示す。具体的には、マウスを右クリックして表示されるコンテキストメニューである。
【０１８３】
なお、選択操作は、マウスの左クリックを示す。コンテキストメニュー１００１は、用紙収納部ボタン４０６を開くメニュー１００２、用紙収納部の使用割り当てを切り換えるメニュー１００３、用紙収納部に設定された用紙の履歴を開く用紙設定履歴１００４を含んで表示される。さらに、コンテキストメニュー１００１は、用紙収納デッキ１を用紙管理アプリケーションから開くメニュー１００５、用紙設定履歴サブウインドウ１００６、現在、用紙収納部に設定されている用紙１００８を含んで表示される。
【０１８４】
用紙収納部にこれまで設定した用紙の履歴で用紙１００７が直前に設定した用紙で、用紙１０１１が図１３に示した履歴表示の中で最も古くに設定した用紙である。
【０１８５】
本実施例では、用紙管理アプリケーションで図４（ａ）の用紙収納部ボタン４０６〜４１１を右クリックで押下したときのコンテキストメニュー１００１に、過去に用紙収納部に用紙情報を設定したときの用紙設定履歴１００４を表示する。
【０１８６】
そして、図１３のように、用紙設定履歴１００４を選択することで、用紙設定履歴サブウインドウ１００６が開く。用紙設定履歴サブウインドウ１００６から、用紙収納部に収納される用紙を選択してもよい。このような用紙選択方法であれば、使用する用紙がある程度決まっているような場合に、用紙リストから用紙を選択するよりも簡単に用紙を選択することが可能である。
【０１８７】
なお、用紙管理アプリケーションは、用紙設定履歴情報を用紙収納部ごとに管理し、図９のステップＳ９０９において用紙収納部に収納された用紙を使用できるようにするときに用紙設定履歴リストを更新する。
【０１８８】
そして、用紙設定履歴１００４を選択し、用紙設定履歴サブウインドウ１００６から用紙を選択した場合は、ステップＳ９０１において、用紙設定履歴リストで取得する用紙情報は、用紙設定リストから選択された用紙の用紙情報となる。
【０１８９】
以上説明したように、本実施例では用紙リストからだけでなく、これまで用紙収納部に設定した用紙履歴の情報に基づき、用紙を用紙収納部に設定することが可能である。
【０１９０】
（実施例３）
図１４を用いて本実施例の画像形成システムを説明する。図１４は、印刷制御装置１０２のソフトウェア構成を示すブロック図である。図１〜１３と同様の機能を有する部分には同様の符号を付し、詳細な説明を省略する。
【０１９１】
実施例１では用紙を設定するときの用紙収納部に対するアクション、具体的には用紙収納部に用紙を入れることや用紙収納ボタンの使用割当ボタンを押下するなどで用紙設定を行っている。しかし、用紙管理アプリケーションから実際に用紙を入れ替えることを促すことはしていなかった。本実施例では、用紙設定のときに用紙管理アプリケーションから用紙の入れ替えを促す動作を行う。
【０１９２】
図１４において、メッセージフィールド１１０１は、用紙管理アプリケーションに用紙の入れ替えに関連するメッセージ表示を行う領域である。例えば、設定できない用紙の指定をした場合のエラー表示などを行う。
【０１９３】
用紙管理アプリケーションは、図９のステップＳ９０３において用紙収納部に収納された用紙を使用できないようにした後で、メッセージフィールド１１０１に「用紙を確認してください」を表示する。ステップＳ９０９で用紙収納部に収納された用紙を使用できるように設定した後、または、メッセージを表示してから一定時間を経過した後に、メッセージの表示を終了する。
【０１９４】
これにより、用紙収納部に収納された用紙を使用することができるか否かのみを決めて、用紙収納部に収納する用紙の入れ替えをしていない場合に注意を促すことが可能である。
【０１９５】
また、用紙収納部の種類によっては用紙収納デッキのように、印刷装置１０３が用紙収納部の開閉を制御する制御部を有してもよい。その場合に、印刷制御装置１０２が変更を行う用紙収納部を開けるように印刷装置１０３に指示を送信する。そして、印刷制御装置１０２から指示を受け取った印刷装置１０３が、用紙収納部に収納された用紙が使用不可になった際に用紙収納部を電気的に開くことを可能としてもよい。もしくは、印刷制御装置１０２から変更を行う用紙収納部を使用できなくする指示を印刷装置１０３が受信した際に、用紙収納部に収納された用紙を使用不可にすることに加えて、用紙収納部を電気的に開いてもよい。
【０１９６】
具体的にはステップＳ９０２において、用紙管理アプリケーションが用紙収納部に収納された用紙を使用できないようにする指示を印刷装置１０３に送信したときである。または、その後に、用紙管理アプリケーションが印刷装置１０３に用紙収納部を開状態にする指示を送信する。どちらの場合にも指示を受け取った印刷装置１０３は、ＣＰＵ２０１を介して用紙収納部の開閉を制御する制御部に指示を出し、指示を受け取った制御部が用紙収納部を開く。
【０１９７】
このように用紙設定時に用紙収納部を電気的に開く構成は用紙管理アプリケーションの不図示の設定画面より、有効／無効を切り換えられるようにしてもよい。この用紙設定時の用紙収納部を開く機能によって、用紙の入れ替えを確実に行わせることが可能になるだけでなく、入れ替えるべき用紙収納部が即座に分かるという効果がある。
【０１９８】
以上説明してきたように、用紙管理アプリケーション上で用紙を確認するメッセージを表示することでより確実に用紙情報に合った用紙を用紙収納部に収納することが可能となる。または、用紙を収納する用紙収納部の開閉制御を行うことでより確実に用紙情報に合った用紙を用紙収納部に収納することが可能になる。
【０１９９】
なお、各実施例において印刷制御装置１０２と印刷装置１０３とが、異なる装置である構成を示したが、１つの装置によって構成されていてもよい。
【０２００】
（その他の実施例）
以上、本発明の様々な例と実施例を示して説明したが、本発明の趣旨と範囲は、本明細書内の特定の説明に限定されるものではない。
【０２０１】
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０２０２】
１０２  印刷制御装置
１０３  印刷装置
４０６  用紙収納部
４０７  用紙収納部
４０８  用紙収納部
４０９  用紙収納部
４１０  用紙収納部
４１１  用紙収納部 
【図１】
2018187796.tif 000003
【図２】
2018187796.tif 000004
【図３】
2018187796.tif 000005
【図４】
2018187796.tif 000006
【図５】
2018187796.tif 000007
【図６】
2018187796.tif 000008
【図７】
2018187796.tif 000009
【図８】
2018187796.tif 000010
【図９】
2018187796.tif 000011
【図１０】
2018187796.tif 000012
【図１１】
2018187796.tif 000013
【図１２】
2018187796.tif 000014
【図１３】
2018187796.tif 000015
【図１４】
2018187796.tif 000016